(57)【要約】【課題】簡単な構造で表示装置の額縁幅を小さくすることができる表示装置を提供する。【解決手段】表示パネルと、前記表示パネルの表示面に接着される前面板と、前記表示パネルの背面側に配置される面状の光源と、前記光源を収納するフレームと、を有する表示装置であって、前記前面板は前記表示パネルより大きく、前記フレームは、前記前面板のうち前記表示パネルの表示面に接着されていない周縁部に背面側から対向する前記前面板に略平行な第１面を有し、前記前面板は、前記フレームの前記第１面に固定されることを特徴とする表示装置。【選択図】図６
2016045362.tif 000002
【特許請求の範囲】
【請求項１】
表示パネルと、
前記表示パネルの表示面に接着される前面板と、
前記表示パネルの背面側に配置される面状の光源と、
前記光源を収納するフレームと、
を有する表示装置であって、
前記前面板は前記表示パネルより大きく、
前記フレームは、前記前面板のうち前記表示パネルの表示面に接着されていない周縁部に背面側から対向する前記前面板に略平行な第１面を有し、
前記前面板は、前記フレームの前記第１面に固定されることを特徴とする表示装置。
【請求項２】
前記光源は、発光部材と、前記表示パネルと略平行な導光板、光学シート、及び反射シートと、を有し、
前記発光部材は、前記フレームの下辺に設けられる請求項１に記載の表示装置。
【請求項３】
前記フレームは、前記第１面から垂直に背面側へ伸びる第２面を有し、
前記発光部材は、前記第２面に設けられている請求項２に記載の表示装置。
【請求項４】
前記フレームの上辺及び下辺では、前記第２面は前記第１面の下端部から伸びる請求項３に記載の表示装置。
【請求項５】
前記フレームの第２面に、前記導光板、光学シート、及び反射シートを背面側から保持するシャーシが固定される請求項３又は４に記載の表示装置。
【請求項６】
前記フレームは、前記第２面から垂直に伸びる第３面を有し、前記第１面と前記第３面とは略平行で、前記フレームの各辺の、辺に垂直の面による断面は、コの字形である請求項３又は４に記載の表示装置。
【請求項７】
前記発光部材は、前記フレームの下辺の前記第１面と前記第３面との間の空間に設けられる請求項６に記載の表示装置。
【請求項８】
前記第３面に、前記導光板、光学シート、及び反射シートを背面側から保持するシャーシが固定される請求項６又は７に記載の表示装置。
【請求項９】
前記光源を前面側から保持する、前記表示パネルと前記光源との間に配置される枠状のパネルホルダを備える請求項１〜８のいずれか１項に記載の表示装置。
【請求項１０】
前記パネルホルダは、前記フレームと一体構成である請求項９に記載の表示装置。
【請求項１１】
前記フレームは、前記第１面から垂直に背面側へ伸びる第２面を有し、
前記パネルホルダは、前記フレームの第１面の前記第２面が伸びる端部とは反対側の端部から延伸する前記表示パネルと略平行な面を有する請求項１０に記載の表示装置。
【請求項１２】
前記表示パネルは、液晶パネルである請求項１〜１１のいずれか１項に記載の表示装置。
【発明の詳細な説明】
【技術分野】
【０００１】
本発明は表示装置に関するものである。
【背景技術】
【０００２】
表示装置の基本構造は面光源装置（バックライト装置）と表示パネル（液晶パネル等）、電気回路部、それらを支持する構造部、さらに外装部を有する。業務用途の表示装置には、表示パネルの表示面に取り付けられ、外部からの衝撃や降雨による浸水から保護する透明の前面板を有するものがある。前面板を取り付けることによる表示画像の視認性の低下を抑制するために、特許文献１に開示の表示装置では、表示パネルと前面板との隙間に透明接着剤を配置した構造が提案されている。また、特許文献２に開示の表示装置では、前面板を表示装置の筺体に支持する構造が提案されている。
【０００３】
図１４は、特許文献２に記載の表示装置の要部断面図を示す図である。表示装置１００の表示面側は、表示パネル１０３Ａと前面板１０１が配置されており、表示パネル１０３Ａと前面板１０１とは透明接着剤（図示せず）で接着されている。表示パネル１０３の表示面とは反対側には、光源１０３Ｃ、ミドルシャーシ１０７、光学シート１０３Ｂ、導光板１０３Ｄが配置されている。ミドルシャーシ１０７は、光学シート１０３Ｂを固定するために、表示パネル１０３Ａの周囲に沿って設けられているものである。光源１０３Ｃ及び光学シート１０３Ｂ、導光板１０３Ｄはバックシャーシ１０８により収納されている。前面板１０１の周囲に取付枠１０２が両面接着テープ（図示せず）により接着されている。バックシャーシ１０８と取付枠１０２を固定するための取付部材１１０が配置されている。取付部材１１０により前面板１０１が支持されることにより、表示パネル１０３Ａが保持されている。
【先行技術文献】
【特許文献】
【０００４】
【特許文献１】特開２０１２−８８６０６号公報
【特許文献２】特開２０１２−３４２８９号公報
【発明の概要】
【発明が解決しようとする課題】
【０００５】
特許文献２の従来技術では、前面板１０１を固定させる取付枠１０２が、光源１０３Ｃ、放熱部材１０６、ミドルシャーシ１０７、及びバックシャーシ１０８を含むバックライト部の外側に位置している。バックライト部を構成する部品と前面板１０１を固定する部品が別体であり、固定部位が液晶パネル１０３Ａの画像表示領域の外側にあるため、額縁幅Ｗが大きくなる。装置の小型化や意匠性から額縁幅Ｗは小さくできることが望ましい。また、バックライト部を構成する部品と、前面板の固定に用いる部品とが別体であるため、部品点数が多くなり、構造が複雑になり、前面板１０１から光源１０３Ｃまでの組み立てによる累積の公差が大きくなる。
【０００６】
本発明は上記課題に鑑みてなされたものであり、簡単な構造で表示装置の額縁幅を小さくすることができる表示装置を提供することを目的としている。
【課題を解決するための手段】
【０００７】
本発明は、表示パネルと、
前記表示パネルの表示面に接着される前面板と、
前記表示パネルの背面側に配置される面状の光源と、
前記光源を収納するフレームと、
を有する表示装置であって、
前記前面板は前記表示パネルより大きく、
前記フレームは、前記前面板のうち前記表示パネルの表示面に接着されていない周縁部に背面側から対向する前記前面板に略平行な第１面を有し、
前記前面板は、前記フレームの前記第１面に固定されることを特徴とする表示装置である。
【発明の効果】
【０００８】
本発明によれば、簡単な構造で表示装置の額縁幅を小さくすることができる表示装置を提供することができる。
【図面の簡単な説明】
【０００９】
【図１】実施例１の表示装置の正面図である
【図２】実施例１の表示装置の分解斜視図である
【図３】実施例１の表示パネルユニットの分解斜視図である
【図４】実施例１のフレームユニットの分解斜視図である
【図５】実施例１の表示装置の図１のＡ−Ａにおける断面図である
【図６】実施例１の表示装置の図１のＢ−Ｂにおける断面図である
【図７】実施例２の表示装置の正面図である
【図８】実施例２の表示装置の分解斜視図である
【図９】実施例２の表示装置のシャーシとケースの組み立てを示す斜視図である
【図１０】実施例２の表示装置の図７のＣ−Ｃにおける断面図である
【図１１】実施例２の表示装置の図７のＤ−Ｄにおける断面図である
【図１２】実施例３の表示装置の正面図である
【図１３】実施例３の表示装置の図１２のＥ−Ｅにおける断面図である
【図１４】従来の表示装置の構造を示す要部断面図である
【発明を実施するための形態】
【００１０】
（実施例１）
以下、本発明の表示装置の実施例１について説明する。
図１は、本発明の実施例１の表示装置の正面図である。また、図２は、本発明の実施例１の表示装置の分解斜視図である。
表示装置１は、正面から見た際に表示パネルユニット２が全体に見える構成であり、表示パネルユニット２の略中央部には、画像が表示される画像表示領域Ｄが存在する。画像表示領域Ｄは、後述する表示パネルの画像表示領域である。画像表示領域Ｄの外側には、表示パネルユニット２の裏面に遮光印刷領域２ａが存在する。表示パネルユニット２は、後述する前面板として青板ガラス又は強化ガラスを使用し、前面板は内部に位置する表示パネルの画像を透過する。観察者は液晶パネルに表示される画像を前面板を通して観察することができる。表示パネルユニット２の画像表示領域Ｄの外側に位置する範囲は、前面板がガラス製であることから、遮光印刷領域２ａを設けることにより、内部が見えてしまわないようにしている。また、遮光印刷領域２ａを設けることにより、意匠性を持たせ、外観を向上させることができる。
【００１１】
図２により、表示装置１の構造を詳細に説明する。表示装置１は、前面側から、表示パネルユニット２、パネルホルダ３、光学シート４、導光板５、反射シート６、シャーシ７、ケース８から構成されている。
表示パネルユニット２の背面側には、パネルホルダ３が配置されている。パネルホルダ３は、全体として枠状であり、上辺３Ｔ、左辺３Ｌ、右辺３Ｒ、下辺３Ｂで構成されている。パネルホルダ３は、樹脂製であり、４辺独立して構成されている。これは、寸法が大
きくなると、射出成型による成形が困難になることによる。パネルホルダ３によりその背面側に位置する光学シート４が保持されることで、表示パネルユニット２と光学シート４との距離が保たれている。光学シート４は、シート状の部品であり、材質はＰＥＴ（polyethylene terephthalate）やＰＣ（polycarbonate）、厚さは０．数ｍｍ、たわみ易い特
性を有する。光学シート４は、パネルホルダ３により保持されている。
【００１２】
光学シート４の背面側は、導光板５及び反射シート６が配置される。光学シート４，導光板５、及び反射シート６の背面側には、これらの部材を背面側から保持するシャーシ７が配置される。シャーシ７は表示パネルユニット２へ固定される。表示装置１の上部はケース８で覆われる。
【００１３】
図３は、本発明の実施例１に係る表示パネルユニット２の分解斜視図である。図４は、本発明の実施例１に係るフレームユニット２ＦＲの分解図斜視図である。図５は、図１のＡ−Ａ断面による表示装置１上部の断面図、図６は図１のＢ−Ｂ断面による表示装置１下部の断面図である。これらの図により、表示装置１のそれぞれのユニットの構成について説明する。
表示パネルユニット２は、分解すると図３のようになる。前面側から、前面板２Ｇ、表示パネルモジュール２ＰＭ、及びフレームユニット２ＦＲが配置される。
【００１４】
前面板２Ｇは青板ガラス又は強化ガラス製である。前面板２Ｇは、その背面側に配置される表示パネルモジュール２ＰＭに対して、図５に示す透明接着剤２Ａａで接着されている。前面板２Ｇは表示パネルモジュール２ＰＭより大きく、前面板２Ｇのうち周縁部は、表示パネルモジュール２ＰＭの表示面と接着されていない領域となる。透明接着剤２Ａａは、表示パネルモジュール２ＰＭの表面に密着する紫外線硬化型の樹脂である。透明接着剤２Ａａにより、前面板２Ｇは表示パネルモジュール２ＰＭの表示面に固定される。透明接着剤２Ａａは、画像の表示品質に影響が無いように、無色透明で屈折率が１．５前後で、ガラス材に近い光学特性を有している。
【００１５】
表示パネルモジュール２ＰＭは、表示パネル２Ｐ、電気ケーブル２Ｆ、駆動基板２Ｄから構成されている。実施例１では、表示パネル２Ｐは、液晶パネルである。しかし、光源からの光の透過率を調節することにより画像を表示する透過型表示パネルであれば液晶パネルに限らない。図５に示すように、表示パネル２Ｐは、前面側のカラーフィルター基板２ＣＦと、背面側のＴＦＴ基板２ＴＦＴからなる。カラーフィルター基板２ＣＦは、片面にカラーフィルターを形成したガラス基板の前面側（視認側）の表面に、上偏光板（図示せず）を貼り合せた構成である。ＴＦＴ基板２ＴＦＴは、片面に電気配線を形成したガラス基板の背面側（視認側とは反対側）の表面に、下偏光板（図示せず）を貼り合せた構成である。表示パネル２Ｐは、両基板を向かい合わせ、両基板間に液晶を封入して周囲をシールし、さらにガラス基板の端子部に、後述する電気ケーブル２Ｆを接続した構造を備えている。
【００１６】
電気ケーブル２Ｆは、表示パネル２Ｐの端子部と後述の駆動基板２Ｄとを電気的に接続しているＦＰＣ（Flexible Printed Circuits）であり、中央付近にＩＣ（integrated circuit）を実装している。
駆動基板２Ｄは、表示パネル２Ｐへ画像信号と電力を供給する電気回路であり、配線及び素子で構成されている。
【００１７】
フレームユニット２ＦＲは、鋼板等に代表される金属製の板をプレス加工等で加工して形成される。フレームユニット２ＦＲは、全体として枠状であり、４辺独立しており、上辺２Ｔ、左辺２Ｌ、右辺２Ｒ、下辺２Ｂから構成されている。フレームユニット２ＦＲは、後述する光源を収納する。フレームユニット２ＦＲは、前面板２Ｇのうち表示パネルモ
ジュール２ＰＭに接着されていない周縁部の背面側に対向する、前面板２Ｇと略平行な第１面を有し、前面板２Ｇは、フレームユニット２ＦＲの第１面に両面テープ２Ａｂにより接着されている。これによりフレームユニット２ＦＲは前面板２Ｇを保持する。詳細は後述する。
【００１８】
フレームユニット２ＦＲの下辺２Ｂを代表して、さらに分解した図が図４である。フレームユニット２ＦＲのそれぞれの辺の、辺に垂直の面による断面は略コの字形であり、コの字の対向する２つの面の間の空間には、光源２ＬＥＤを実装した光源基板２ＰＣＢとヒートシンク２ＨＢが配置されている。光源２ＬＥＤは、発光ダイオード（以下ＬＥＤ、Light Emitting Diode）であり、光源基板２ＰＣＢ上に線状に複数実装されている。光源２ＬＥＤは発光すると発熱する。光源基板２ＰＣＢと密着するように、ヒートシンク２ＨＢが配置されていることで、光源２ＬＥＤの発熱を効率良く放熱させることができ、発光効率の低下が抑制される。発光部材である光源２ＬＥＤは、白色ＬＥＤであっても良いし、表示色域を拡大するために赤・緑・青を独立させたＲＧＢのＬＥＤであっても良い。また、発光部材としてはＬＥＤに限らず、冷陰極管（ＣＣＦＬ、Cold Cathode Fluorescent Lamp）を使用しても良い。
【００１９】
図６を用いて光の経路について説明する。光源２ＬＥＤから出射した光は、導光板５の端部から入射し、導光板５の背面に配置された反射シート６で反射する。光学シート４は、反射シート６で反射された光の輝度を向上させ、拡散させ、表示パネル２Ｐへ入射させる。表示パネル２Ｐへ入射した光は、液晶を透過して、透明接着剤２Ａａ、前面板２Ｇの表面から出射して画像として視認することができる。フレームユニット２ＦＲ、パネルホルダ３、光学シート４、導光板５、反射シート６、及びシャーシ７は、面状の光源であり、表示パネルユニット２へ光を照射するバックライト（面光源装置）を構成する。
【００２０】
シャーシ７は鋼板等により作成され、略中央部が絞りにより凹形状となっており、周辺部７ａと底部７ｂから成る。底部７ｂは反射シート６を押えることで、背面側から保持している。
ケース８は、表示パネルモジュール２ＰＭの駆動基板２Ｄを覆うように配置されている。ケース８は、ネジ（図示せず）によりシャーシ７へ固定される。ケース８も鋼板等によりプレス加工等により成形される。ケース８は、駆動基板２Ｄからの発熱を放熱する。また、ケース８は、駆動基板２Ｄからの不要輻射を抑制するシールド効果を有する。
【００２１】
図５及び図６を用いて、前面板２Ｇの保持構造に関して説明する。フレームユニット２ＦＲの上辺２Ｔ及び下辺２Ｂは、辺に垂直の断面による断面形状が略コの字形をしている。上辺２Ｔに関しては、第１面２Ｔａ、第２面２Ｔｂ、第３面２Ｔｃで構成されている。下辺２Ｂに関しては、第１面２Ｂａ、第２面２Ｂｂ、第３面２Ｂｃで構成されている。第２面は、第１面から垂直に背面側へ伸びる。前面板２Ｇは、上辺２Ｔの第１面２Ｔａ及び下辺２Ｂの第１面２Ｂａに貼り付けられた両面テープ２Ａｂにより、フレームユニット２ＦＲに接着されている。上辺２Ｔ及び下辺２Ｂにおいて、第２面は第１面の下端部から伸びている。これにより、上辺２Ｔでは、第２面２Ｔｂはバックライト側に位置し、下辺２Ｂでは、第２面２Ｂｂはバックライトとは反対側に位置することになる。上辺２Ｔの下側には、表示パネルモジュール２ＰＭに接続された電気ケーブル２Ｆが配置されており、第２面２Ｔｂが電気ケーブル２Ｆと対向している。これにより、上辺２Ｔが電気ケーブル２Ｆに接触したとしても、第２面２Ｔｂにより面接触するため、第１面２Ｔａと第３面２Ｔｃの端部により線接触する場合よりも、電気ケーブル２Ｆが傷つきにくい。また、電気ケーブル２Ｆの途中にはＩＣが実装されている場合があるが、第２面２Ｔｂに熱伝導シート（図示せず）を配置することで放熱を促進させることも可能である。
【００２２】
一方、下辺２Ｂでは、第１面２Ｂａと第３面２Ｂｃの端部がバックライト側を向いてお
り、第２面２Ｂｂを底面、第１面２Ｂａと第３面２Ｂｃとを壁面とする空間が形成され、バックライト側を向いている。実施例１の表示装置１では、この形状を利用して、コの字の内側にパネルホルダ３Ｂ、光源基板２ＰＣＢ、ヒートシンク２ＨＢを配置している。これにより、光源２ＬＥＤをバックライト側に向くように実装し、エッジライト型のバックライトを構成している。
【００２３】
実施例１によれば、前面板２Ｇを、別部材を用いてシャーシ等に取り付けるのではなく、光源を有するフレームユニット２ＦＲに前面板２Ｇを直接接着する構成とした。そのため、前面板のサイズをフレームユニット２ＦＲの大きさ（バックライトユニットの大きさ）と略同じサイズにすることができ、額縁幅を小さくすることが可能となる。
また、実施例１の構成では、前面板の接着されているフレームユニットに光源が直接固定されている簡単な構造とすることができる。そのため、表示パネルから光源までの累積公差を小さくすることができる。
【００２４】
（実施例２）
以下、本発明の実施例２について説明する。
図７は、本発明の実施例２の表示装置の正面図である。また、図８は、本発明の実施例２の表示装置の分解斜視図である。
表示装置１２は、実施例１と同様、表示パネルユニット２２が前面にあり、その裏面の周縁部には遮光印刷領域２２ａが配置される。また、その略中央部は画像表示領域Ｄとなっている。
【００２５】
図８の分解斜視図で説明をすると、表示パネルユニット２２の背面側には、パネルホルダ３２が配置される。パネルホルダ３２は上辺３２Ｔ、左辺３２Ｌ、右辺３２Ｒ、下辺３２Ｂの４辺で構成されている。パネルホルダ３２の背面側には、実施例１同様に、光学シート４、導光板５、反射シート６が配置されている。反射シート６を背面側から押えるように、シャーシ７２が配置され、その上部にはケース８２が固定される。
【００２６】
図９は、表示装置１２の表示パネルユニット２２とシャーシ７２との分解斜視図である。図１０は、図７におけるＣ−Ｃ断面による断面図である。図１１は、図７におけるＤ−Ｄ断面による断面図である。
図９及び図１０において、表示パネルユニット２２は、前面板２Ｇに透明接着剤２Ａａで接着された表示パネル２Ｐ、表示パネル２Ｐに接続された電気ケーブル２Ｆ、及び駆動基板２Ｄから構成されている。また、前面板２Ｇの周縁部の背面側には、フレームの上辺２２Ｔ、左辺２２Ｌ、右辺２２Ｒ、下辺２２Ｂの４辺が両面テープ２Ａｂで固定されている。
【００２７】
駆動基板２Ｄは基板上に設けられた穴２Ｄｈは、組み立てた状態で、シャーシ７２上に設けられたボス７２ｃと対向する。駆動基板２Ｄは、穴２Ｄｈとボス７２ｃとをネジ（図示せず）で固定することで、シャーシ７２に固定される。
シャーシ７２の周縁部には、背面方向に折れ曲がったフランジ部７２Ｆが形成されている。また、フランジ部７２Ｆには、複数の穴７２ｈが設けられている。
一方、フレームの各辺には、例えば下辺２２Ｂには、前面板２Ｇと略平行な面である第１面２２Ｂａとそれと垂直な第２面２２Ｂｂがあり、第２面２２Ｂｂに穴２２ｈが設けられている。
フレームの各辺の穴２２ｈとシャーシ７２の穴７２ｈとは組み立てた状態で同じ位置になり、シャーシ７２の穴７２ｈはネジが止められるようにタップが切ってある。図１１に示すようにネジＳＣを用いて、シャーシ７２がフレームの第２面２２Ｂｂに固定される。
【００２８】
図１０においてフレームの構成について説明すると、フレームの上辺２２は、前面板２
Ｇと略平行な第１面２２Ｔａを有する。また、上辺２２は、第１面２２Ｔａから背面側に折れ曲がって伸びる第１面２２Ｔａに垂直な面である第２面２２Ｔｂを有する。前面板２Ｇは第１面２２Ｔａにおいて両面テープ２Ａａで接着されている。第２面２２Ｔｂは表示パネル２Ｐに接続された電気ケーブル２Ｆと対向している。実施例１と同様に、第２面２２Ｔｂは電気ケーブル２Ｆと面接触するため電気ケーブル２Ｆを傷付けにくい。また、第２面２２Ｔｂは電気ケーブル２Ｆの放熱を促すことができる。
以上のように、実施例１ではフレームの断面形状は略コの字形であるが、断面形状はコの字に限定されるものではなく、実施例２のように略Ｌ字形でも良い。
【００２９】
（実施例３）
以下、本発明の実施例３について説明する。
図１２は、本発明の実施例３の表示装置の正面図である。図１３は、図１２におけるＥ−Ｅ断面による断面図である。
表示装置１３は、実施例１と同様、表示パネルユニット２３が前面にあり、その裏面の周縁部には遮光印刷領域２３ａが配置される。また、その略中央部には画像表示領域Ｄとなっている。
【００３０】
実施例３は、実施例１のパネルホルダ３が省略されており、その機能をフレームが有する構造である。実施例１では、図６に示すように、枠状のパネルホルダ３の下辺３Ｂの突出部３Ｂａは表示パネル２Ｐと略平行であり、表示パネル２Ｐと光学シート４との間に配置され、光学シート４を前面側から押えている。これにより、パネルホルダ３が光学シート４等のバックライト構成部材を保持している。実施例３の図１３では、フレームの下辺２３Ｂの一部が表示パネル２Ｐ側に突出しており、突出部２３Ｂｄを形成している。フレームの下辺２３Ｂは、表示パネル２Ｐと略平行な第１面２３Ｂａと、第１面２３Ｂａの下端部から背面側へ伸びる第１面２３Ｂａと垂直の第２面２３Ｂｂと、第２面２３Ｂｂと垂直で第１面２３Ｂａと対向する第３面２３Ｂｃを有する。突出部２３Ｂｄは、第１面２３Ｂａの、第２面２３Ｂｂが伸びる端部とは反対側の端部から延伸する、表示パネル２Ｐと略平行な面である。突出部２３Ｂｄは、実施例１のパネルホルダ３の突出部３Ｂａと同様に、光学シート４を押え、実施例１のパネルホルダ３の機能を実現している。
【００３１】
図６のフレームの下辺２Ｂは鋼板等をプレス加工により成形する場合を想定しているが、図１３のフレームの下辺２３Ｂは、アルミニウム等の押出し加工により成形しても良い。
実施例３によれば、光源を収納するフレームと、導光板、光学シート、反射シートを前面側から保持するパネルホルダとが一体構成である。これにより、前面側の前面板２Ｇ及び表示パネル２Ｐと、背面側の光源２ＬＥＤが設置されるバックライトと、の構造がより簡単になり、組み立てによる累積の公差を抑制できる。
【符号の説明】
【００３２】
１：表示装置、２：表示パネルユニット、２Ｇ：前面板、２ＦＲ：フレーム、２ＰＭ：表示パネルモジュール、２Ｐ：表示パネル、２ＬＥＤ：光源、４：光学シート、５：導光板、６：反射シート
【図１】
2016045362.tif 000003
【図２】
2016045362.tif 000004
【図３】
2016045362.tif 000005
【図４】
2016045362.tif 000006
【図５】
2016045362.tif 000007
【図６】
2016045362.tif 000008
【図７】
2016045362.tif 000009
【図８】
2016045362.tif 000010
【図９】
2016045362.tif 000011
【図１０】
2016045362.tif 000012
【図１１】
2016045362.tif 000013
【図１２】
2016045362.tif 000014
【図１３】
2016045362.tif 000015
【図１４】
2016045362.tif 000016